(57)【要約】【課題】商業施設で預けた買物客の荷物が商業施設の駐車場に搬送されることとなり、これにより買物客が商業施設で購入した物品などの荷物を一時的に預けることができ、しかも商業施設から出る際には、預けた荷物を商業施設の駐車場で受け取ることができるロッカーを得ること。【解決手段】物品を収納するための複数の収納部２０ａを有する構造体２０と、構造体２０を格納する筐体１０とを備えたロッカー１００において、構造体２０は、筐体１０から出し入れ自在に構成され、かつ、移動自在に構成されている。【選択図】図１
2015219629.tif 000002
【特許請求の範囲】
【請求項１】
物品を収納するための複数の収納部を有する構造体と、該構造体を格納する筐体とを備えたロッカーであって、
該構造体は、該筐体から出し入れ自在に構成され、かつ、移動自在に構成されている、ロッカー。
【請求項２】
前記筐体は、
前記構造体を該筐体に出し入れするための構造体出入口を有し、
該筐体には、該筐体に格納された該構造体の複数の収納部の各々に対応するように複数の開口部が形成されており、該複数の開口部の各々には、該開口部を開閉するための開閉扉が取り付けられている、請求項１に記載のロッカー。
【請求項３】
前記筐体は、
前記構造体を該筐体に出し入れするための構造体出入口を有する筐体本体と、
該筐体本体の該構造体出入口を開閉自在に該筐体本体に取り付けられた筐体蓋部と
を有し、
該筐体蓋部には、該筐体に格納された該構造体の複数の収納部の各々に対応するように複数の開口部が形成されており、該複数の開口部の各々には、該開口部を開閉するための開閉扉が取り付けられている、請求項１に記載のロッカー。
【請求項４】
前記筐体は、
相対向する一対の側面壁と、
該一対の側面壁の間に設けられた上面壁と、
該一対の側面壁の間に設けられた前面壁と
を含み、
該筐体の前面壁に対向する後面には、前記構造体を該筐体に出し入れするための構造体出入口が形成されており、
該筐体の前面壁には、前記複数の開口部が形成され、該複数の開口部の各々に該開口部を開閉するための開閉扉が取り付けられている、請求項２に記載のロッカー。
【請求項５】
前記構造体の複数の収納部の各々は、該収納部に前記物品を出し入れするための物品出入口と、該物品出入口を開閉するための開閉蓋とを有し、該複数の収納部の各々に設けられている開閉蓋は、該複数の収納部の各々に対応する前記開閉扉の開閉と連動して開閉するように構成されている、請求項２から請求項４のいずれか一項に記載のロッカー。
【請求項６】
前記複数の収納部の各々の開閉蓋は、前記構造体が前記筐体に格納されている状態でのみ開閉し、前記構造体が前記筐体から取り出された状態では、対応する該収納部の物品出入口を閉じた状態を維持するように構成されている、請求項５に記載のロッカー。
【発明の詳細な説明】
【技術分野】
【０００１】
本発明は、ロッカーに関し、特に、買物客が商業施設や観光施設の商店街などに設置されているロッカーに預けた荷物を、所用を済ませた後に商業施設や観光施設の駐車場に設置されているロッカーから取り出すことができるように、少なくとも２箇所に設置されたロッカーの間で、１つのロッカーに預けられた荷物を他のロッカーまで移動させるための構造に関する。
【背景技術】
【０００２】
従来から、ショッピングモールなどの大型商業施設では、買物客は、購入した物品などの荷物を手さげ袋に入れて手で持ったりショッピングカートに載せたりして持ち運びながら買物を行っている。
【０００３】
このように購入した物品などの荷物を持ち運びながら買物をするのは、荷物の少ないときは、荷物を手で持てばそれほど苦にならないものの、荷物の多いときは荷物を手で持つことは困難である。ショッピングカートを利用すると、多くの荷物を持ち運べるが、買物中にショッピングカートから目を離すことができず、荷物の持ち運びが煩わしいものとなる。
【０００４】
したがって、買物客は、荷物の多いときは、目的の買物をした後も商業施設内に滞在してウインドーショッピングを楽しんだり飲食店街で食事をしたりするといったことはせずに、荷物をまっすぐ駐車場まで運んで車に積んでしまおうとしがちである。また、買物客は一旦駐車場まで戻ってしまうと、もう一度商店街まで出向くのは面倒であるので、そのまま帰ってしまうこともある。
【０００５】
このように、商業施設に来た買物客は、購入した物品の数が多くなって荷物が増えてしまうと、商業施設内にもっといたいと思っていても帰ってしまう傾向にあり、このような傾向は、買物客にはできるだけ商業施設にいて欲しいという商業施設の運営者側の意向と合っていない。
【０００６】
そこで、近年では、商業施設の商店街にロッカーを設置し、買物客が、購入した物品などの荷物を一時的に預けることができるようにしている。
【０００７】
買物客は、このようなロッカーを利用することで、購入した物品などの荷物を気にすることなく、必要なものの買物の後も商業施設内に滞在し、ウインドーショッピングを楽しんだり、飲食店街で食事をしたり、書店に立ち寄ったり、さらにはアミューズメントエリアでゲームをしたり映画を見たりすることができる。これにより、商業施設内での買物客の滞在時間が長くなり、このことが商業施設全体としての売り上げの促進につながる。
【０００８】
なお、商業施設に設置されるロッカーは、例えば一般的なコインロッカーであり、これは、扉を開けて荷物を入れ、利用料金相当の硬貨を投入することによりキーによる施錠が可能になるものである（例えば、特許文献１の段落０００２）。
【０００９】
また、近年では、商業施設に設置されるロッカーには、生鮮食料品を一時保管するための冷却機能を持つもの（例えば、特許文献２）もある。
【先行技術文献】
【特許文献】
【００１０】
【特許文献１】特開２００６−１７１９１０号公報（特許第４３８３３３１号公報）
【特許文献２】特開２００３−８５６４４号公報
【発明の概要】
【発明が解決しようとする課題】
【００１１】
上述のように、商業施設の商店街にロッカーが設置されている場合、買物客はロッカーを利用することで、商業施設内に滞在中は、購入した物品などの荷物を気にせず、買物の後も商業施設に滞在して商業施設内で自由に行動することができるが、商業施設を出るときは、利用したロッカーから離れた場所にいる場合でも、一旦ロッカーまで荷物を取りに戻る必要がある。また、ロッカーから駐車場までは、結局、買物客自身が荷物を運ばなければならない。このような荷物の持ち運びの問題は、商業施設に限ったことではなく、例えば、テーマパークなどの観光施設においても起こり得るものである。
【００１２】
本発明は、上記のような問題点を解決するためになされたものであり、来場客が商業施設や観光施設などの施設で購入した物品などの荷物を一時的に預けることができ、しかもこのような施設から出る際には、預けた荷物を施設の駐車場などで受け取ることができるロッカーを得ることを目的とする。
【課題を解決するための手段】
【００１３】
本発明に係るロッカーは、物品を収納するための複数の収納部を有する構造体と、該構造体を格納する筐体とを備えたロッカーであって、該構造体は、該筐体から出し入れ自在に構成され、かつ、移動自在に構成されており、そのことにより上記目的が達成される。
【００１４】
本発明は、上記ロッカーにおいて、前記筐体は、前記構造体を該筐体に出し入れするための構造体出入口を有し、該筐体には、該筐体に格納された該構造体の複数の収納部の各々に対応するように複数の開口部が形成されており、該複数の開口部の各々には、該開口部を開閉するための開閉扉が取り付けられていることが好ましい。
【００１５】
本発明は、上記ロッカーにおいて、前記筐体は、前記構造体を該筐体に出し入れするための構造体出入口を有する筐体本体と、該筐体本体の該構造体出入口を開閉自在に該筐体本体に取り付けられた筐体蓋部とを有し、該筐体蓋部には、該筐体に格納された該構造体の複数の収納部の各々に対応するように複数の開口部が形成されており、該複数の開口部の各々には、該開口部を開閉するための開閉扉が取り付けられていることが好ましい。
【００１６】
本発明は、上記ロッカーにおいて、前記筐体は、相対向する一対の側面壁と、該一対の側面壁の間に設けられた上面壁と、該一対の側面壁の間に設けられた前面壁とを含み、該筐体の前面壁に対向する後面には、前記構造体を該筐体に出し入れするための構造体出入口が形成されており、該筐体の前面壁には、前記複数の開口部が形成され、該複数の開口部の各々に該開口部を開閉するための開閉扉が取り付けられていることが好ましい。
【００１７】
本発明は、上記ロッカーにおいて、前記構造体の複数の収納部の各々は、該収納部に前記物品を出し入れするための物品出入口と、該物品出入口を開閉するための開閉蓋とを有し、該複数の収納部の各々に設けられている開閉蓋は、該複数の収納部の各々に対応する前記開閉扉の開閉と連動して開閉するように構成されていることが好ましい。
【００１８】
本発明は、上記ロッカーにおいて、前記複数の収納部の各々の開閉蓋は、前記構造体が前記筐体に格納されている状態でのみ開閉し、前記構造体が前記筐体から取り出された状態では、対応する該収納部の物品出入口を閉じた状態を維持するように構成されていることが好ましい。
【発明の効果】
【００１９】
以上のように、本発明によれば、来場客が商業施設や観光施設などの施設で購入した物品などの荷物を一時的に預けることができ、しかもこのような施設から出る際には、預けた荷物を施設の駐車場などで受け取ることができるロッカーを得ることができる。
【図面の簡単な説明】
【００２０】
【図１】図１は、本発明の実施形態１によるロッカーを説明する図であり、図１（ａ）はロッカーの外観を示し、図１（ｂ）はロッカーの内部の構造を示し、図１（ｃ）は図１（ａ）のＡ部分の構造を詳細に示している。
【図２】図２は、実施形態１のロッカーが設置される商業施設を説明する図である。
【図３】図３は、実施形態１のロッカーを買物客が利用している様子を示す斜視図（図３（ａ））および側面図（図３（ｂ））である。
【図４】図４は、実施形態１のロッカーに預けられている荷物の移動作業を説明する図であり、図４（ａ）および図４（ｂ）はそれぞれ、買物客がロッカーを利用可能な状態を示す斜視図および側面図であり、図４（ｃ）および図４（ｄ）はそれぞれ、ロッカーの筐体蓋部を開けた状態を示す斜視図および側面図である。
【図５】図５は、実施形態１のロッカーの構造体をロッカーの筐体から取り出す作業を説明する斜視図（図５（ａ））および側面図（図５（ｂ））である。
【図６】図６は、実施形態１のロッカーの構造体をショッピングエリアから駐車場まで移動させる様子を示す図である。
【図７】図７は、実施形態１のロッカーの構造体をロッカーの筐体に格納する作業を説明する斜視図（図７（ａ））および側面図（図７（ｂ））である。
【図８】図８は、本発明の実施形態２によるロッカーを説明する図であり、図８（ａ）はロッカーの外観を示し、図８（ｂ）はロッカーの利用状況を示している。
【図９】図９は、実施形態２のロッカーの筐体に対してロッカーの構造体を出し入れする様子を示す図である。
【図１０】図１０は、本発明の実施形態３によるロッカーを説明する図であり、図１０（ａ）はロッカーの外観を示し、図１０（ｂ）はロッカーの利用状況を示し、図１０（ｃ）はロッカーの後面を示し、図１０（ｄ）はロッカーの筐体の構造を示している。
【図１１】図１１は、実施形態３のロッカーの筐体に対してロッカーの構造体を出し入れする様子を示す図であり、図１１（ａ）は構造体の出し入れの様子をロッカーの前面側から見た図、図１１（ｂ）は構造体の出し入れの様子をロッカーの後面側から見た図である。
【図１２】図１２は、実施形態１から実施形態３のそれぞれの変形例によるロッカーの構造体を説明する斜視図である。
【発明を実施するための形態】
【００２１】
以下、本発明の実施形態について図面を参照しながら説明する。
【００２２】
（実施形態１）
図１は、本発明の実施形態１によるロッカーを説明する図であり、図１（ａ）はロッカーの外観を示し、図１（ｂ）はロッカーの内部の構造を示し、図１（ｃ）は図１（ａ）のＡ部分の構造を詳細に示している。なお、以下の説明では、ロッカーは商業施設に設置されたものとする。
【００２３】
実施形態１のロッカー１００は、物品を収納するための複数の収納部２０ａを有する構造体２０と、構造体２０を格納するための筐体１０とを備えている。構造体２０は、筐体１０から出し入れ自在に構成され、かつ、移動自在に構成されている。
【００２４】
筐体１０は、構造体２０を筐体１０に出し入れするための構造体出入口１０ａ１を有する筐体本体１０ａと、筐体本体１０ａの構造体出入口１０ａ１を開閉自在となるように構成された筐体蓋部１０ｂとを有している。ここで、筐体本体１０ａは、ロッカー１００の設置場所に形成されている基礎にボルトなどにより固定されている。筐体本体１０ａと筐体蓋部１０ｂとにより囲まれた内部領域が、構造体２０を収容する構造体収容スペース１０ａ２となっている。
【００２５】
筐体蓋部１０ｂは、筐体本体１０ａに回転可能に取り付けられている。具体的には、筐体蓋部１０ｂの上端部は、蝶番などにより筐体本体１０ａの上端部に取り付けられている。筐体蓋部１０ｂは、筐体本体１０ａの構造体出入口１０ａ１を塞いだ状態でロック機構（図示せず）によりロックすることができるようになっている。これにより、ロッカー１００は、商業施設の係員のみが構造体２０を筐体１０に対して出し入れすることができるようになっている。
【００２６】
筐体蓋部１０ｂには、筐体１０に格納された構造体２０の複数の収納部２０ａの各々に対応するように複数の開口部１１が形成されている。複数の開口部１１の各々には、開口部１１を開閉するための開閉扉１２が取り付けられている。
【００２７】
開閉扉１２の片側（図１（ｃ）の紙面左側）には、開閉扉１２を開閉するための取手部１２ａが形成されている。筐体蓋部１０ｂには、開閉扉１２を施錠するための施錠機構１３がロッカー１００の各開閉扉１２に対応するように設けられている。
【００２８】
施錠機構１３は、例えば、ロッカー１００の使用料金に相当する金額のコインを投入するコイン投入口１３ａと、開閉扉１２を施錠する施錠部１３ｂと、施錠部１３ｂの鍵穴に差し込む施錠キー１３ｃとを有している。この施錠機構１３は、開閉扉１２を閉めた状態で利用料金相当のコインをコイン投入口１３ａに投入することにより、施錠キー１３ｃによる開閉扉１２の施錠を可能とし、施錠後の解錠を、施錠キー１３ｃにより随時可能とするものである。ただし、施錠機構１３は、コインと機械的な施錠キーとを用いるものに限定されない。例えば、施錠機構１３は、電子マネーや電子キーを用いるものでもよい。電子マネーは、電子的なデータにより決済を行うためのものであり、例えば、プリペイカード、クレジットカードなどである。また、電子キーは、例えば、暗証番号の入力やプリペイカードからのデータの読み込みにより施錠および解錠を行うものである。
【００２９】
構造体２０は、前面が開口した箱型の外周枠２１と、外周枠２１の内部に配置された２つの横桟部２２および３つの縦桟部２３とを有する。外周枠２１の内部空間は、２つの横桟部２２と３つの縦桟部２３とにより複数の収納部２０ａが形成されるように仕切られている。収納部２０ａは物品を収納するためのスペースであり、構造体２０が筐体１０に格納されたときに筐体蓋部１０ｂの開口部１１が構造体２０の収納部２０ａと重なる部分が、収納部２０ａの物品出入口２０ａ１となっている。なお、収納部２０ａの物品出入口２０ａ１は、構造体２０が筐体１０から取り出されたときには開放された状態となる。さらに外周枠２１の底面には、構造体２０を移動させるための車輪２４が取り付けられている。なお、構造体２０における横桟部２２の数および縦桟部２３の数は、この実施形態１のものに限定されない。また、構造体２０の外周枠２１の表面に広告を掲載することにより、構造体２０を商業施設の各店舗などの広告塔として利用してもよい。
【００３０】
次にロッカーが利用される商業施設について簡単に説明する。
【００３１】
上記のように複数の収納部２０ａを有する構造体２０を筐体１０から出し入れ自在にかつ移動自在に構成したロッカー１００は、例えば、ショッピングモールなどの大型商業施設で用いられる。
【００３２】
図２は、実施形態１のロッカーが設置される大型商業施設を説明する図である。
【００３３】
大型商業施設Ｆには、複数の営業エリア、例えば、ショッピングエリア１、ライフスタイルエリア２、ペットエリア３、ファミリーエリア４、アクティブエリア５などが設けられており、これらの営業エリアとは別に駐車場６も確保されている。
【００３４】
ここで、ショッピングエリア１は、例えば、食料品や日用品などの商品を提供する店舗が集合しているエリアであり、ライフスタイルエリア２は、例えば、大人が有意義な時間を過ごせる環境やサービスを提供する店舗や施設が集合しているエリアである。ペットエリア３は、例えば、ペットに関する商品やサービスを提供する店舗が集合しているエリアである。ファミリーエリア４は、例えば、家族そろって楽しめるコンテンツを提供する店舗（アンテナショップ）や施設（テーマパークや映画館）が集合しているエリアであり、アクティブエリア５は、例えば、スポーツ用品やスポーツ関連家電の提供からスポーツの体験までスポーツに関する商品やサービスを提供する店舗や施設が集合しているエリアである。また、各エリア間の連絡通路Ｐ１〜Ｐ３は、例えば、遊歩道となっている。
【００３５】
この商業施設Ｆでは、例えばショッピングエリア１の一部にロッカー設置場所１ａが設けられており、駐車場６の一部にもロッカー設置場所６ａが設けられている。それぞれのロッカー設置場所１ａおよび６ａでは、ロッカー１００の筐体１０が設置場所の地面に対して固定されている。例えば、筐体１０の筐体本体１０ａは、設置場所の地面に形成された基礎にアンカーボルトなどの締結部材を用いて固定されている。また、ロッカー１００の筐体１０内に構造体２０を格納し、筐体蓋部１０ｂを閉じた状態では、筐体蓋部１０ｂは、商業施設の係員以外が開けられないように筐体本体１０ａに対してロックされる。このため、ロッカー１００内の荷物が盗難に合うことはない。
【００３６】
なお、ショッピングエリア１のロッカー設置場所１ａおよび駐車場６のロッカー設置場所６ａはそれぞれ一箇所に限定されるものではなく、それぞれ二箇所以上あってもよい。また、営業エリアのロッカー設置場所は、ショッピングエリア１に限定されるものではなく、他の営業エリアにあってもよい。ただし、複数の営業エリアにロッカー設置場所を設けた場合は、駐車場６には、複数の営業エリアの各々のロッカー設置場所に対応するロッカー設置場所を設けることが望ましい。この場合、ある営業エリア（例えば、アクティブエリア）のロッカー設置場所のロッカーに預けた荷物は、ある営業エリア（例えば、アクティブエリア）のロッカー設置場所に対応する駐車場のロッカー設置場所のロッカーから取り出すことができるようにすることが可能である。このような大型商業施設にロッカーを設置した場合、ロッカーの構造体を移動させるときは、構造体は施設内の人通りの多いところを通過するため、上記のように構造体２０の外周枠２１の表面に広告を掲載することにより広告が多くの人の目につき、宣伝効果は非常に大きなものとなる。
【００３７】
次に、ロッカーの利用方法について簡単に説明する。
【００３８】
図３は、実施形態１のロッカーを買物客が利用している様子を示す斜視図（図３（ａ））および側面図（図３（ｂ））である。
【００３９】
例えば、図２に示す商業施設Ｆに自動車で訪れた買物客５０が、営業エリアでの買物によりできた荷物をショッピングエリア１のロッカー１００に預ける場合について説明する。
【００４０】
具体的には、買物客５０は、購入した物品などの荷物７０を買物カート６０でロッカー１００まで運び、ロッカー１００の空いている収納部２０ａを見つけると、図３（ａ）および図３（ｂ）に示すように、開閉扉１２を開けて、荷物７０を収納部２０ａに収納する。その後、買物客５０は開閉扉１２を閉めてコイン投入口１３ａに利用料金相当のコインを投入する。このようにコインを投入すると、施錠キー１３ｃの操作により開閉扉１２の施錠が可能となる。買物客５０は施錠キー１３ｃにより開閉扉１２を施錠した後、施錠部１３ｂから施錠キー１３ｃを抜き取る。抜き取った施錠キー１３ｃはロッカー１００から荷物７０を取り出すまで買物客５０が保管しておく。
【００４１】
これにより、買物客５０が、ショッピングエリア１での買物の後にショッピングエリア１からライフスタイルエリア２などの他の営業エリアに移動し、所望の商品やサービスの提供を受ける場合、例えば、ライフスタイルエリア２で食事をしたり、ファミリーエリア４で映画を見たり、アクティブエリア５でスポーツの体験サービスなどを受けたりする場合に、買物客５０は、購入した物品などの荷物を持ち運ぶ必要がなくなる。
【００４２】
このように買物客５０が買物の後にショッピングエリア１以外の営業エリアで有意義な時間を過ごしている間に、買物客５０がショッピングエリア１のロッカー設置場所１ａでロッカー１００に預けた荷物を、商業施設Ｆの係員が駐車場６のロッカー設置場所６ａまで運ぶことにより、買物客５０がショッピングエリア１で預けた荷物は、駐車場６に設置されているロッカー１００に収納された状態になる。
【００４３】
以下、ロッカーに収納されている荷物をショッピングエリア１から駐車場６まで係員が運搬する方法について、図４〜図６を用いて説明する。
【００４４】
図４（ａ）および図４（ｂ）に示すロッカー１００の筐体１０は、ショッピングエリア１のロッカー設置場所１ａに設置されている。筐体１０には、荷物７０を収納するための複数の収納部２０ａを有する構造体２０が係員によって格納され、構造体２０のいくつかの収納部２０ａには、買物客が預けた荷物７０が収納されている。
【００４５】
このような状態でロッカー１００に収納されている荷物７０をショッピングエリア１から駐車場６まで移動させる場合、まず、係員は、筐体本体１０ａに対する筐体蓋部１０ｂの施錠を解除し、図４（ｄ）に示すように、筐体蓋部１０ｂを矢印Ｙ１の方向に回動させることにより、図４（ｃ）に示すように筐体本体１０ａの構造体出入口１０ａ１を開放する。
【００４６】
次に、係員は、図５（ａ）および図５（ｂ）の矢印Ｍ１で示すように、車輪２４が取り付けられている構造体２０を筐体本体１０ａから引き出す。続いて、係員は、図６に矢印Ｘ１で示すように、構造体２０をショッピングエリア１のロッカー設置場所１ａから駐車場６のロッカー設置場所６ａまで移動させる。なお、構造体２０を筐体本体１０ａから取り出すと、収納部２０ａの内部は露出した状態となるので、構造体２０の移動時には、構造体２０の収納部２０ａに格納されている荷物７０が構造体２０から脱落するのを防止し、さらに荷物７０の盗難を防止するために、例えば、係員が、構造体２０にビニールカバー部材を被せたり、構造体２０の収納部２０ａの物品出入口２０ａ１を樹脂や厚紙などのカバー部材により覆うようにしてもよい。
【００４７】
駐車場６のロッカー設置場所６ａには、図７（ａ）に示すように、ショッピングエリア１のロッカー設置場所１ａに設置されている筐体１０と同じ仕様の筐体１０が設置されている。ただし、ロッカー設置場所６ａでは、ロッカー１００からの荷物７０の取り出しのみを可能するため、各収納部２０ａに対応する施錠機構はすべて施錠状態となっている。
【００４８】
その後、係員は、ショッピングエリア１のロッカー設置場所１ａで筐体蓋部１０ｂから構造体２０を取り出した手順と逆の手順で、駐車場６のロッカー設置場所６ａに設置されている筐体１０に図７（ａ）および図７（ｂ）に矢印Ｍ２で示すように構造体２０を格納する。さらに、係員は、筐体蓋部１０ｂを矢印Ｙ２で示す方向に回動させることにより筐体蓋部１０ｂにより筐体１０の構造体出入口１０ａ１を閉じ、筐体蓋部１０ｂを筐体本体１０ａに対して施錠する。
【００４９】
なお、ロッカー設置場所６ａに設置されている筐体１０内にすでに格納されている構造体２０は、新たに運んできた構造体２０を筐体１０に格納する前に取り出す。
【００５０】
また、ロッカー設置場所６ａに設置されている筐体１０から取り出した構造体２０は、収納部２０ａが空になっていることを確認して、図６に矢印Ｘ２で示すように駐車場６のロッカー設置場所６ａからショッピングエリア１のロッカー設置場所１ａまで戻す。
【００５１】
ただし、ショッピングエリア１のロッカー設置場所１ａから構造体２０が駐車場６のロッカー設置場所６ａまで運ばれてきたときにロッカー設置場所６ａのロッカー１００内にすでに格納されている構造体２０の収納部２０ａに荷物が残っている場合は、残っている荷物７０は別途商業施設の管理部署で管理し、ロッカー１００を利用した買物客５０に荷物７０の引き取りにくるように管理部署から何らかの手段で通知するようにする。
【００５２】
このようにショッピングエリア１のロッカー設置場所１ａに設置されているロッカー１００の筐体１０から取り出した構造体２０を、駐車場６のロッカー設置場所６ａに設置されているロッカー１００の筐体１０に格納した場合、構造体２０における各収納部２０ａと筐体蓋部１０ｂの各開口部１１ａ（開閉扉１２）との位置関係は、ショッピングエリア１のロッカー設置場所１ａと駐車場６のロッカー設置場所６ａとでまったく同一となる。例えば、ショッピングエリア１のロッカー設置場所１ａに設置されているロッカー１００の最上段の右端の収納部２０ａに預けられた荷物７０は、駐車場６のロッカー設置場所６ａに設置されているロッカー１００においても、最上段の右端の収納部２０ａに保管されることとなる。
【００５３】
このため、買物客５０は、駐車場６で荷物７０をロッカー１００から取り出すときには、ショッピングエリア１で荷物７０をロッカー１００に預けたときと同じ位置の収納部２０ａに対応する開閉扉１２を開けることで、ショッピングエリア１で預けた荷物７０を駐車場６で取り出すことができる。
【００５４】
このように本実施形態１では、物品を収納するための複数の収納部２０ａを有する構造体２０と、構造体２０を格納する筐体１０とを備えたロッカー１００において、構造体２０を、筐体１０から出し入れ自在に構成し、かつ、移動自在に構成したので、例えばショッピングエリア１に設置のロッカー１００の構造体２０をロッカー１００の筐体１０から取り出して駐車場６に設置のロッカー１００の筐体１０に移動させることにより、構造体２０に収納されている買物客５０の荷物がショッピングエリア１から駐車場６に搬送されることとなる。これにより買物客５０はショッピングエリア１で預けた荷物を駐車場６で受け取ることが可能となる。この結果、買物客が商業施設の商店街で購入した物品などの荷物を商業施設内で一時的に預けることができ、しかも商業施設から出る際には、預けた荷物を、預けた場所まで取りに戻ることなく商業施設の駐車場で受け取ることができるロッカーを提供することができる。
【００５５】
（実施形態２）
図８は、本発明の実施形態２によるロッカーを説明する図であり、図８（ａ）はロッカーの外観を示し、図８（ｂ）はロッカーの利用状況を示している。図９は、実施形態２のロッカーの筐体に対してロッカーの構造体を出し入れする様子を示す図である。
【００５６】
実施形態２のロッカー１０１は、実施形態１のロッカー１００において、筐体１０とは構造が異なる筐体３０を備えたものであり、その他の構成は実施形態１におけるものと同一である。すなわち、この実施形態２のロッカー１０１の構造体２０は実施形態１のものと同一であり、以下の説明では、この構造体２０を格納する筐体３０について詳しく説明する。
【００５７】
本実施形態２のロッカー１０１の筐体３０は、前面壁３１と、前面壁３１に対向する後面壁３２と、前面壁３１の上端と後面壁３２の上端との間に配置された上面壁３３とを有している。前面壁３１、後面壁３２および上面壁３３により囲まれた部分が、構造体２０を格納する構造体格納スペース３０ａとなっている。また、筐体３０の側面開口３０ｂは、筐体３０に対して構造体２０を出し入れする構造体出入口となっている。
【００５８】
このロッカー１０１の筐体３０の前面壁３１は、実施形態１のロッカー１００の筐体１０の筐体蓋部１０ｂに対応するものであり、実施形態１のロッカー１００と同様に、筐体３０に格納された構造体２０の複数の収納部２０ａの各々の物品出入口２０ａ１に対応するように複数の開口部３１ａが前面壁３１に形成されている。複数の開口部３１ａの各々には、開口部３１ａを開閉するための開閉扉３４が取り付けられている。さらに、前面壁３１には、開閉扉３４を施錠するための施錠機構３５がロッカー１０１の各開閉扉３４に対応するように設けられている。ここで、開閉扉３４および施錠機構３５はそれぞれ、図１（ｃ）に示す開閉扉１２および施錠機構１３と同一のものである。
【００５９】
このような構成の実施形態２のロッカー１０１では、買物客５０は実施形態１と同様に、購入した物品などの荷物７０を買物カート６０などでロッカー１０１まで運び、ロッカー１０１の空いている収納部２０ａを見つけると、図８（ｂ）に示すように、開閉扉３４を開けて、荷物７０を収納部２０ａに収納することができる。
【００６０】
ただし、ロッカー１０１の筐体３０に対する構造体２０の出し入れは、実施形態１のロッカー１００とは異なり、ロッカー１０１の複数の開閉扉３４が設けられている前面壁３１を開けて行うのではなく、図９の矢印Ｎで示すように、開閉扉３４が設けられていない側面開口３０ｂから行う。
【００６１】
このような構成の実施形態２では、実施形態１と同様に、買物客５０はショッピングエリア１で預けた荷物を駐車場６で受け取ることが可能となるという効果に加えて、ロッカー１０１の筐体３０を、実施形態１の筐体１０の筐体蓋部１０ｂのような可動部分のない簡単な構造とすることができる。
【００６２】
（実施形態３）
図１０は、本発明の実施形態３によるロッカーを説明する図であり、図１０（ａ）はロッカーの外観を示し、図１０（ｂ）はロッカーの利用状況を示し、図１０（ｃ）はロッカーの後面を示し、図１０（ｄ）はロッカーの筐体の構造を示している。図１１は、実施形態３のロッカーの筐体に対してロッカーの構造体を出し入れする様子を示す図であり、図１１（ａ）は構造体の出し入れの様子をロッカーの前面側から見た図、図１１（ｂ）は構造体の出し入れの様子をロッカーの後面側から見た図である。
【００６３】
実施形態３のロッカー１０２は、実施形態１のロッカー１００において、筐体１０とは構造が異なる筐体４０を備えたものであり、その他の構成は実施形態１におけるものと同一である。すなわち、この実施形態３のロッカー１０２の構造体２０は実施形態１あるいは実施形態２のものと同一であり、以下の説明では、この構造体２０を格納する筐体４０について詳しく説明する。
【００６４】
本実施形態３のロッカー１０２の筐体４０は、前面壁４１と、前面壁４１の左右両側に設けられた左右一対の側面壁４２と、左右一対の側面壁４２の上端の間に配置された上面壁４３とを有している。前面壁４１、左右の側面壁４２および上面壁４３により囲まれた部分が、構造体２０を格納する構造体格納スペース４０ａとなっている。また、筐体４０の後面に形成されている開口（後面開口）４０ｂは、筐体４０に対して構造体２０を出し入れする構造体出入口となっている。
【００６５】
このロッカー１０２の筐体４０の前面壁４１は、実施形態１のロッカー１００の筐体１０の筐体蓋部１０ｂに対応するものであり、実施形態１のロッカー１００と同様に、筐体４０に格納された構造体２０の複数の収納部２０ａの各々の物品出入口２０ａ１に対応するように複数の開口部４１ａが前面壁４１に形成されている。複数の開口部４１ａの各々には、開口部４１ａを開閉するための開閉扉４４が取り付けられている。さらに、前面壁４１には、開閉扉４４を施錠するための施錠機構４５がロッカー１０２の各開閉扉４４に対応するように設けられている。ここで、開閉扉４４および施錠機構４５はそれぞれ、図１（ｃ）に示す開閉扉１２および施錠機構１３と同一のものである。
【００６６】
このような構成の実施形態３のロッカー１０２では、買物客５０は実施形態１と同様に、購入した物品などの荷物７０を買物カート６０などでロッカー１０２まで運び、ロッカー１０２の空いている収納部２０ａを見つけると、図１０（ｂ）に示すように、開閉扉４４を開けて、荷物７０を収納部２０ａに収納することができる。
【００６７】
ただし、ロッカー１０２の筐体４０に対する構造体２０の出し入れは、実施形態１のロッカー１００のようにロッカーの筐体１０の筐体蓋部１０ｂを開けて行ったり、実施形態２のロッカー１０１のようにロッカーの筐体３０の側面開口３０ｂを通して行ったりするのではなく、図１１の矢印Ｒで示すように、前面壁４１に対向する後面開口４０ｂから行う。
【００６８】
このような構成の実施形態３では、実施形態１と同様に、買物客５０はショッピングエリア１で預けた荷物を駐車場６で受け取ることが可能となるという効果に加えて、ロッカー１０２の筐体４０を、実施形態１の筐体１０の筐体蓋部１０ｂのような可動部分のない簡単な構造とすることができる。また、ロッカー１０２の筐体４０に対する構造体２０の出し入れは構造体２０をその短辺に沿って移動させることにより行われるので、構造体２０の出し入れにあまり場所をとらないという効果も得られる。
【００６９】
なお、上記実施形態１、実施形態２あるいは実施形態３の構造体２０では、構造体２０を筐体１０、３０あるいは４０から取り出すと、収納部２０ａの内部が露出した状態となるが、構造体２０を筐体１０、３０あるいは４０から取り出しても収納部２０ａの内部が露出した状態とならないように、構造体２０に収納部２０ａの物品出入口２０ａ１を塞ぐ開閉蓋を設けてもよい。
【００７０】
図１２は、実施形態１、実施形態２あるいは実施形態３の構造体２０において、収納部２０ａの物品出入口２０ａ１を塞ぐ開閉蓋２０ｂを備えたもの（構造体８０）を示している。
【００７１】
このような構造体８０では、構造体８０をロッカー１００、１０１、あるいは１０２の筐体１０、３０、あるいは４０から取り出した状態では、収納部２０ａの物品出入口２０ａ１が開閉蓋２０ｂにより塞がれた状態となるので、実施形態１で説明したように、構造体８０の移動時に構造体から荷物が落下しないように、構造体８０にカバー部材などを被せる必要はない。
【００７２】
また、この場合、構造体８０における複数の収納部２０ａの各々に設けられている開閉蓋２０ｂを、複数の収納部２０ａの各々に対応する筐体１０、３０あるいは４０の開閉扉１２、３４、あるいは４４の開閉と連動して開閉するようにすることで、ロッカー１００、１０１、あるいは１０２の収納部２０ａに荷物を預けるときに、買物客が筐体１０、３０あるいは４０の開閉扉１２、３４あるいは４４を開けた後に、収納部２０ａの開閉蓋２０ｂをさらに開けるという煩雑な作業を回避できる。
【００７３】
また、複数の収納部２０ａの各々の開閉蓋２０ｂは、構造体８０がロッカーの筐体に格納されている状態でのみ開閉し、構造体８０がロッカーの筐体から取り出された状態では、対応する収納部２０ａの物品出入口２０ａ１を閉じた状態を維持するようにすることにより、構造体８０の搬送中に係員が目を離したすきに構造体８０の収納部２０ａに格納されている買物客５０の荷物が盗まれるなどの被害を防止できる。
【００７４】
さらに、上記各実施形態では、本発明のロッカーがショッピングセンターなどの商業施設に設置されている場合を挙げてロッカーの利用形態を説明したが、本発明のロッカーが設置される施設は、商業施設に限定されるものではなく、商業施設以外の施設、例えば、テーマパークなどの観光施設であってもよい。
【００７５】
さらに、上記各実施形態では、預けた荷物の受け取り場所は施設の駐車場である場合について説明したが、預けた荷物の受け取り場所は施設の駐車場に限定されるものではなく、施設の駐車場以外の場所、例えば出入口の近辺などであってもよい。
【００７６】
以上のように、本発明の好ましい実施形態を用いて本発明を例示してきたが、本発明は、これらの実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００７７】
本発明は、ロッカーの分野において、来場客がショッピングモールなど商業施設やテーマパークなどの観光施設で購入した物品などの荷物を一時的に預けることができ、しかもこのような施設から出る際には、預けた荷物を施設の駐車場などで受け取ることができるロッカーを提供するものとして有用である。
【符号の説明】
【００７８】
１  ショッピングエリア
１ａ、６ａ  ロッカー設置場所
２  グランドエリア
３  ペットエリア
４  ファミリーエリア
５  アクティブエリア
６  駐車場
１０、３０、４０  筐体
１０ａ  筐体本体
１０ａ１  構造体出入口
１０ｂ  筐体蓋部
１１  開口部
１２、３４、４４  開閉扉
１３、３５、４５  施錠機構
１３ａ  コイン投入口
１３ｂ  施錠部
１３ｃ  施錠キー
２０、８０  構造体
２０ａ  収納部
２０ａ１  物品出入口
２０ｂ  開閉蓋
２１  外周枠
２２  横桟部
２３  縦桟部
２４  車輪
１０ａ２、３０ａ、４０ａ  構造体格納スペース
３０ｂ  側面開口
４０ｂ  後面開口
３１、４１  前面壁
３２  後面壁
３３、４３  上面壁
４２  側面壁
５０  買物客
６０  買物カート
７０  荷物
１００、１０１、１０２  ロッカー
Ｆ  商業施設
Ｍ、Ｍ１、Ｍ２、Ｎ、Ｒ  移動方向
Ｐ１〜Ｐ３  連絡通路
【図１】
2015219629.tif 000003
【図２】
2015219629.tif 000004
【図１２】
2015219629.tif 000005
【図３】
2015219629.tif 000006
【図４】
2015219629.tif 000007
【図５】
2015219629.tif 000008
【図６】
2015219629.tif 000009
【図７】
2015219629.tif 000010
【図８】
2015219629.tif 000011
【図９】
2015219629.tif 000012
【図１０】
2015219629.tif 000013
【図１１】
2015219629.tif 000014